(57)【要約】【課題】無線通信における電波干渉を抑制しつつ、無線通信の動作レスポンスを向上させることができる車両用無線通信システムを提供する。【解決手段】車両に搭載された複数の通信機器間で無線信号を授受する車両用無線通信システムにおいて、複数の通信機器として、動作機構の動作に基づいて無線信号を送信又は受信した無線信号に基づいて動作機構を動作させるユニット（１）〜（４）と、当該ユニット機器（１）〜（４）によって無線信号を送受信する動作を制御するゲートウェイ装置とを有する。ゲートウェイ装置によって、所定期間ごとに、複数のユニット機器に無線信号の送信タイミングを制御する要求信号Ｒ１，Ｒ２，Ｒ３を送信し、各ユニット（１）〜（４）によって、要求信号Ｒ１，Ｒ２，Ｒ３を受信した時刻から、予め設定された遅延時間Ｔ（１）、Ｔ（２）、Ｔ（３）、Ｔ（４）、となったタイミングで無線信号Ｓ１，Ｓ２，Ｓ３，Ｓ４を送信する。【選択図】図５
2009029299.tif 000002
【特許請求の範囲】
【請求項１】
車両に搭載された複数の通信機器間で無線信号を授受する車両用無線通信システムにおいて、
前記複数の通信機器として、動作機構の動作に基づいて無線信号を送信又は受信した無線信号に基づいて動作機構を動作させるユニット機器と、当該ユニット機器によって無線信号を送受信する動作を制御するゲートウェイ装置とを有し、
前記ゲートウェイ装置は、所定期間ごとに、複数のユニット機器に無線信号の送信タイミングを制御する要求信号を送信し、
前記各ユニット機器は、前記要求信号を受信した時刻から、予め設定された遅延時間となったタイミングで無線信号を送信すること
を特徴とする車両用無線通信システム。
【請求項２】
前記各ユニット機器は、他のユニット機器宛てに直接的に無線信号の送信すると共に、前記ゲートウェイ装置は、当該他のユニット機器宛の無線信号を中継して、当該他のユニット機器に転送することを特徴とする請求項１に記載の車両用無線通信システム。
【請求項３】
前記各ユニット機器は、前記ゲートウェイ装置から送信された１回の要求信号に対して無線信号を送信する回数を変更することを特徴とする請求項１又は請求項２に記載の車両用無線通信システム。
【請求項４】
前記各ユニット機器は、自己が動作する電力を供給するバッテリーの状態に基づいて、前記ゲートウェイ装置から送信された１回の要求信号に対して無線信号を送信する回数を変更することを特徴とする請求項３に記載の車両用無線通信システム。
【請求項５】
前記各ユニット機器は、自己が搭載された車両の挙動又は車両の状態に基づいて、前記ゲートウェイ装置から送信された１回の要求信号に対して無線信号を送信する回数を変更することを特徴とする請求項３に記載の車両用無線通信システム。
【請求項６】
前記各ユニット機器は、自己が搭載された車両周辺の環境に基づいて、前記ゲートウェイ装置から送信された１回の要求信号に対して無線信号を送信する回数を変更することを特徴とする請求項３に記載の車両用無線通信システム。
【請求項７】
前記各ユニット機器は、自己が搭載された車両における乗員の着座位置に基づいて、前記ゲートウェイ装置から送信された１回の要求信号に対して無線信号を送信する回数を変更することを特徴とする請求項３に記載の車両用無線通信システム。
【請求項８】
前記各ユニット機器は、無線信号を送信した履歴に基づいて、前記ゲートウェイ装置から送信された１回の要求信号に対して無線信号を送信する回数を変更することを特徴とする請求項３に記載の車両用無線通信システム。
【請求項９】
前記ゲートウェイ装置は、前記要求信号に無線信号の送信回数を変更する制御信号を含め、
前記ユニット機器は、前記ゲートウェイ装置から送信された要求信号に含まれる制御信号に基づいて、当該要求信号を受信した後の無線信号の送信回数を変更することを特徴とする請求項１又は請求項２に記載の車両用無線通信システム。
【発明の詳細な説明】
【技術分野】
【０００１】
本発明は、車両に搭載された複数の機器が相互に無線信号を授受することによって、各機器が動作する車両用無線通信システムに関する。
【背景技術】
【０００２】
従来より、ケーブル等の有線の伝送路の敷設を伴わずに、複数の電子制御装置間で相互に通信を可能にする無線中継装置を用いて、確実にデータ通信を可能とした車両制御システムが、下記の特許文献１などにて知られている。この車両制御システムは、通信方式として、周波数分割多重通信方式（ＦＤＭＡ）、符号分割多重通信方式（ＣＤＭＡ）を用いている。また、この車両制御システムにおいては、確実な通信を実現するために、車両の略中央部に無線中継装置を配設すると共に、車両の前部、後部、右側面、左側面といったエリアに３台のグループ化したＥＣＵを配設している。車両制御システムは、各エリア間で無線通信を行う場合に、無線中継装置によって無線信号を転送している。
【特許文献１】特開２００３−１５２７３７号公報
【発明の開示】
【発明が解決しようとする課題】
【０００３】
しかしながら、上述した車両制御システムは、無線中継装置を介して無線通信を行う必要があるので、当該無線中継装置での復号処理や電波干渉を抑制する等の処理が複雑になり、動作レスポンスが低下するおそれがある。この動作レスポンスの低下は、一定の規則に従って発生するものではなく、確実に無線通信を行うことができることを保証できない可能性がある。
【０００４】
そこで、本発明は、上述した実情に鑑みて提案されたものであり、無線通信における電波干渉を抑制しつつ、無線通信の動作レスポンスを向上させることができる車両用無線通信システムを提供することを目的とする。
【課題を解決するための手段】
【０００５】
本発明は、車両に搭載された複数の通信機器間で無線信号を授受する車両用無線通信システムにおいて、複数の通信機器として、動作機構の動作に基づいて無線信号を送信又は受信した無線信号に基づいて動作機構を動作させるユニット機器と、当該ユニット機器によって無線信号を送受信する動作を制御するゲートウェイ装置とを有する。この車両用無線通信システムは、上述の課題を解決するために、ゲートウェイ装置によって、所定期間ごとに、複数のユニット機器に無線信号の送信タイミングを制御する要求信号を送信し、各ユニット機器によって、前記要求信号を受信した時刻から、予め設定された遅延時間となったタイミングで無線信号を送信する。
【発明の効果】
【０００６】
本発明に係る車両用無線通信システムによれば、各ユニット機器によって、ゲートウェイ装置から送信された要求信号を受信した時刻から、予め設定された遅延時間となったタイミングで無線信号を送信するので、各ユニット機器から送信される無線信号同士が干渉することなく、確実に無線通信を行うことができ、無線通信の動作レスポンスを向上させることができる。
【発明を実施するための最良の形態】
【０００７】
以下、本発明の第１実施形態〜第５実施形態について図面を参照して説明する。
【０００８】
［第１実施形態］
本発明は、例えば図１に示すように構成された車両に搭載された複数の通信機器間で無線信号を授受する車両用無線通信システムに適用される。この車両用無線通信システムは、車両を構成するドア機構１に内蔵された複数の通信機器を備える。これら通信機器は、ユニット機器によって無線信号を送受信する動作を制御するゲートウェイ装置１１と、動作機構の動作に基づいて無線信号を送信又は受信した無線信号に基づいて動作機構を動作させるユニット機器とを含む。ドア機構１は、車両構造的に他の部位と分離される構造であって、モジュールと称される車両の構成単位である。図１においては、モジュールの一例としてドア機構１を示しているだけであって、他のモジュールに複数の通信機器を備えている場合であっても、本発明が適用可能であることは言うまでもない。
【０００９】
複数のユニット機器は、ドアミラーモータユニット１２と、パワーウィンドウモータユニット１３と、パワーウィンドウスイッチユニット１４と、リクエストスイッチユニット１５と、ドアロックアクチュエータユニット１６である。なお、以下の説明において、ドアミラーモータユニット１２，パワーウィンドウモータユニット１３，パワーウィンドウスイッチユニット１４，リクエストスイッチユニット１５，ドアロックアクチュエータユニット１６を総称して、単に「ユニット機器」と呼ぶ。
【００１０】
第１実施形態に係る車両用無線通信システムは、各ユニット機器が、ゲートウェイ装置１１からのリクエスト信号（要求信号）に対してそれぞれ固有の遅延時間後に、その他のユニット機器に返信するものである。これにより、第１実施形態に係る車両用無線通信システムは、無線信号の電波干渉を抑制しようとするものである。
【００１１】
例えば図１に示すように、ゲートウェイ装置１１が、他のゲートウェイ装置からドアミラーモータユニット１２を動作させる無線信号Ｐ１を受信した場合、所定の時間遅延α後に、無線信号Ｐ２をドアミラーモータユニット１２に転送する。無線信号Ｐ１の受信時を基準の０ｍｓｅｃとした場合、ドアミラーモータユニット１２に無線信号Ｐ２が到達する時間は０ｍｓｅｃ＋αとなる。また、リクエストスイッチユニット１５が操作された場合の操作内容を示す無線信号Ｐ３は、基準の０ｍｓｅｃから２０ｍｓｅｃ後に送出され、ゲートウェイ装置１１によって２０ｍｓｅｃ＋αにて、ドアロックアクチュエータユニット１６への無線信号Ｐ４又は他のゲートウェイ装置への無線信号Ｐ５として転送される。更に、パワーウィンドウスイッチユニット１４が操作された場合の操作内容を示す無線信号Ｐ６は、基準の０ｍｓｅｃから４０ｍｓｅｃ後に送出され、ゲートウェイ装置１１によって４０ｍｓｅｃ＋αにて、パワーウィンドウモータユニット１３への無線信号Ｐ７又は他のゲートウェイ装置への無線信号Ｐ８として転送される。なお、αは、後述するタイムスロットを考慮した所定の転送遅延時間である。
【００１２】
このような車両用無線通信システムにおけるゲートウェイ装置１１は、他のゲートウェイ装置やユニット機器から送信された無線信号に含まれる宛先情報に基づいてルーティングする機能を備えている。
【００１３】
このように、第１実施形態に係る車両用無線通信システムは、ユニット機器間で無線信号を授受する場合に、基準とした時刻から固有の遅延時間後に、それぞれのユニット機器から無線信号を送出及び受信する。これによって、各ユニット機器間にて送受信される無線信号同士の干渉を抑制する。なお、この図１に示した例では、ゲートウェイ装置１１がユニット機器間の無線信号を転送する構成となっているが、ユニット機器間で直接無線信号を送受信しても良い。この場合であっても、ユニット機器それぞれに固有の遅延時間を設けておき、それぞれのユニット機器が異なるタイミングで無線信号を送出しても、無線信号の干渉を抑制することができる。
【００１４】
このような車両用無線通信システムのゲートウェイ装置１１は、図２に示すように、変復調処理、符号化／復号処理を行ってアンテナ２１ａを介して無線信号を授受するＲＦ処理部２１と、各ユニット機器が無線信号を授受するタイミングを制御するリクエスト信号送信部２２とを備える。なお、図１に示すように指定したユニット機器に無線信号を転送する場合には、ルーティングする機能を備えることは勿論であるが、図２に示すゲートウェイ装置１１は、受信した無線信号を全ユニット機器に配信する例を示している。
【００１５】
ＲＦ処理部２１は、各ユニット機器に対して、ユニット機器の無線信号の取得要求を送信する機能を有している。ＲＦ処理部２１は、ユニット機器から送信された無線信号を受信する機能、及び、ユニット機器に無線信号を送信する機能を有している。このＲＦ処理部２１の通信範囲は、無線信号の送出電力等によって決定されるが、図１に示す例においては、少なくともドア機構１に含まれる各種のスイッチ、モータ等のユニット機器に送出できる範囲となっている。
【００１６】
リクエスト信号送信部２２は、ゲートウェイ装置１１と通信可能な範囲のユニット機器に、予め設定されたタイミングで無線信号の取得要求を発行して、ＲＦ処理部２１に渡す。これにより、無線信号の取得要求であるリクエスト信号は、ユニット機器に受信される。
【００１７】
このゲートウェイ装置１１は、車両用無線通信システムにおいて複数のユニット機器が信号を送受信する所定期間を区分する制御信号としてリクエスト信号を送信する。このリクエスト信号は、ゲートウェイ装置１１が管轄する複数のユニット機器によって受信される。図１に示す例において、ゲートウェイ装置１１が送出したリクエスト信号は、ドアミラーモータユニット１２，パワーウィンドウモータユニット１３，パワーウィンドウスイッチユニット１４，リクエストスイッチユニット１５，ドアロックアクチュエータユニット１６によって受信される。
【００１８】
このようなゲートウェイ装置１１は、ユニット機器に対し、無線通信によって、規定のタイミングで無線信号の取得要求であるリクエスト信号を送出するプログラムを実装したＲＯＭと、このＲＯＭに格納されたプログラムを実行することでリクエスト信号送信部２２として機能するＣＰＵとを有することになる。
【００１９】
なお、ゲートウェイ装置１１によって無線信号のルーティングを行う場合、ゲートウェイ装置１１におけるＲＯＭに、ユニット機器から送信されてきた無線信号を転送するプログラムを追加で格納し、当該プログラムを実行することで、ルーティング機能をＣＰＵの一部として備えることができる。本例では、ゲートウェイ装置１１によって各ユニット機器に対するリクエスト信号に応じて、各ユニット機器が所定のタイミングで無線信号の返信を行い、直接、ユニット機器間で無線信号の送受信を行う通信方式と、ゲートウェイ装置１１を介して無線信号を各ユニット機器に転送する通信方式の何れであっても良い。
【００２０】
また、各ユニット機器は、図３に示すように、変復調処理、符号化／復号処理を行ってアンテナ３１ａを介して無線信号を授受するＲＦ処理部３１と、ゲートウェイ装置１１から送信されたリクエスト信号に応答するリクエスト信号応答部３２と、動作機構３３と、タイマー部３４とを備える。
【００２１】
ＲＦ処理部３１は、ゲートウェイ装置１１から送信された無線信号を受信する機能、及び、無線信号を送信する機能を有している。このＲＦ処理部３１の通信範囲は、少なくともゲートウェイ装置１１と通信可能な範囲が設定されている。
【００２２】
動作機構３３は、モータやアクチュエータ、スイッチなどが挙げられる。動作機構３３がモータである場合、ユニット機器は、当該モータを動作させる制御信号を含む無線信号によって回転駆動する。また、動作機構３３がスイッチである場合、ユニット機器は、当該スイッチが操作された信号を受信した場合に、リクエスト信号応答部３２及びＲＦ処理部３１を介してその旨の無線信号を送出させる。
【００２３】
リクエスト信号応答部３２は、リクエスト信号に応答して、無線信号を送信する。すなわち、リクエスト信号応答部３２は、自己のユニット機器に割り当てられたタイミング（遅延時間）にて、ＲＦ処理部３１から無線信号を送出する。このリクエスト信号応答部３２が自己に割り当てられたタイミングを判定するために、リクエスト信号応答部３２は、タイマー部３４にて計時している時刻を参照する。タイマー部３４は、リクエスト信号を受信したタイミングで計時を開始し、リクエスト信号応答部３２は、リクエスト信号からの所定の遅延時間後に、無線信号をＲＦ処理部３１から送出させる。
【００２４】
このようなユニット機器は、例えば、同一のモジュール（ドア機構１）に存在するゲートウェイ装置１１からのリクエスト信号を受信するプログラムと、ゲートウェイ装置１１からのリクエスト信号を受信した後に、所定のタイミングで無線信号を返信するプログラムと、送信された無線信号を受信するプログラムとが格納されたＲＯＭと、当該ＲＯＭに格納されたプログラムを実行することによってリクエスト信号応答部３２として機能するＣＰＵとを有する。
【００２５】
つぎに、上述した車両用無線通信システムにおける動作について、図４のフローチャート及び図５のタイミングチャートを参照して説明する。
【００２６】
なお、図４に示すフローチャートにおいては、パワーウィンドウスイッチユニット１４やリクエストスイッチユニット１５といったスイッチ系のユニット機器が操作されたことに応じて、ドアミラーモータユニット１２、パワーウィンドウモータユニット１３、ドアロックアクチュエータユニット１６といった駆動系のユニット機器を動作させる場合について説明する。
【００２７】
図４に示すフローチャートの動作は、先ず、ステップＳＴ１において、ゲートウェイ装置１１が、規定されたタイミングにてリクエスト信号を送出する。
【００２８】
リクエスト信号が送出されると、各ユニット機器によって、リクエスト信号が送信されてきかた否かの判定が、肯定判定となり、ステップＳＴ１１からステップＳＴ１２に処理が進められる。ステップＳＴ１２において、スイッチ系のユニット機器は、ステップＳＴ１１にて送信されたリクエスト信号をＲＦ処理部３１によって所定の処理を行って受信する。
【００２９】
次のステップＳＴ１３において、スイッチ系のユニット機器は、当該リクエスト信号を受信した時刻から予め規定された遅延期間後に、自己の無線信号を返信する。この無線信号には、動作機構３３を構成するスイッチが操作されたか否かの制御信号が含まれる。
【００３０】
駆動系のユニット機器は、ステップＳＴ２１において、スイッチ系のユニット機器から無線信号が送信されてきたか否かを判定しており、ステップＳＴ１３にて無線通信が送信されてきたと判定した場合には、ステップＳＴ２２において、ＲＦ処理部３１によって所定の処理を行って受信する。これによって、駆動系のユニット機器は、無線信号に含まれる制御信号を解析し、スイッチが操作されたと判定した場合には、駆動系の動作機構３３を動作させる。一方、ステップＳＴ２１において所定期間以内に無線信号が送信されてきていない場合には、スイッチ系のユニット機器の異常等の理由によって処理を終了することになる。
【００３１】
このような車両用無線通信システムによれば、ゲートウェイ装置１１が各ユニット機器にリクエスト信号を送信した後、各ユニット機器における規定のタイミングで、直接的にユニット機器間で無線信号の送受信を行うことができる。
【００３２】
上述したように、例えば、ドア機構１が運転席ドアモジュールであり、スイッチ系のユニット機器がパワーウィンドウスイッチユニット１４であり、駆動系のユニット機器がパワーウィンドウモータユニット１３である場合には、リクエスト信号がゲートウェイ装置１１からパワーウィンドウスイッチユニット１４に送出された後（ステップＳＴ１）、パワーウィンドウスイッチユニット１４は、規定のタイミングで、パワーウィンドウモータユニット１３にスイッチが操作されたことを示す制御信号を送信することができる（ステップＳＴ１１〜ステップＳＴ１３）。これにより、パワーウィンドウモータユニット１３は、制御信号に従ってモータである動作機構３３を動作させて、ウィンドウを開又は閉方向に駆動することができる（ステップＳＴ２１，ステップＳＴ２２）。
【００３３】
より詳細には、この車両用無線通信システムは、図５に示すように、例えばスイッチ系のユニット機器が（１）〜（３）といったように複数存在し、スイッチ系のユニット機器（２）からの制御信号に基づいて動作する駆動系のユニット機器（４）が存在するとする。この場合、ゲートウェイ装置１１から、スイッチ系のユニット機器（１）〜（３）、駆動系のユニット機器（４）には、所定のリクエスト間隔Ｔ１毎にリクエスト信号Ｒ１，Ｒ２，Ｒ３，・・・が送信される。
【００３４】
ゲートウェイ装置１１によってリクエスト信号を送信する間隔Ｔ１は、各ユニット機器の処理時間とモジュールに含まれるユニット機器の個数（Ｎ）を乗じた値となる。例えば、各ユニット機器の処理時間が２０ｍｓｅｃ、ユニット機器の個数が１０個である場合、リクエスト信号を送信する間隔は、２００ｍｓｅｃとなる。このユニット機器の処理時間は、リクエスト信号の受信とユニット機器の無線信号の返信、ユニット機器の制御信号の受信を足し合わせた時間となる。
【００３５】
ユニット機器（１）〜（４）によって同時にリクエスト信号Ｒ１を受信した場合、先ず、駆動系のユニット機器（４）が、リクエスト信号Ｒ１の受信時刻から所定の遅延時間Ｔ（４）で無線信号Ｓ４を送信し、次いで、スイッチ系のユニット機器（３）が、リクエスト信号Ｒ１の受信時刻から所定の遅延時間Ｔ（３）で無線信号Ｓ３を送信し、次いで、スイッチ系のユニット機器（２）が、リクエスト信号Ｒ１の受信時刻から所定の遅延時間Ｔ（２）で無線信号Ｓ２を送信し、次いで、スイッチ系のユニット機器（１）が、リクエスト信号Ｒ１の受信時刻から所定の遅延時間Ｔ（１）で無線信号Ｓ１を送信する。例えば、リクエスト信号Ｒ１の受信時から所定の遅延時間（４）後のタイミングを基準時刻の「０ｍｓｅｃ」とすると、ユニット機器（３）の無線信号送信タイミングは２０ｍｓｅｃ、ユニット機器（２）の無線信号送信タイミングは４０ｍｓｅｃ、ユニット機器（１）の無線信号送信タイミングは６０ｍｓｅｃである。
【００３６】
このように各ユニット機器に設定される遅延時間は、ゲートウェイ装置１１からのリクエスト信号を受信してから、自ユニット機器の無線信号を返信するまでに待機する時間であり、各ユニット機器での処理時間の倍数に等しいものである。ユニット機器（１）〜（４）といったようにユニット機器が４個存在する場合には、それぞれのユニット機器における待機時間は、０［ｍｓｅｃ］、２０［ｍｓｅｃ］、４０［ｓｅｃ］、６０［ｍｓｅｃ］となる。これにより、各ユニット機器が通信するタイムスロットを物理的に分割でき、ＲＦ処理部３１に干渉を低減する機能を実装する必要をなくす。
【００３７】
したがって、モータである動作機構３３を含むユニット機器（４）は、スイッチ系のユニット機器（２）が無線信号Ｓ２を送信した直後の時間において当該スイッチ系のユニット機器（２）からの無線信号Ｓ２’を受信することができる。モータである動作機構３３を含むユニット機器（４）は、その後にリクエスト信号を受信することによって、無線信号Ｓ２に従ってモータである動作機構３３を動作させることができる。また、各ユニット機器から送信された無線通信をゲートウェイ装置１１によって転送する場合、ゲートウェイ装置１１には、ユニット機器から送信された無線通信Ｓ１〜Ｓ４が、当該無線信号Ｓ１〜Ｓ４の送信直後に転送して、無線信号Ｓ１’〜Ｓ４’を転送することができる。
【００３８】
この車両用無線通信システムは、ステップＳＴ２１にて無線信号を受信できなかった場合には、駆動系のユニット機器の異常終了が発生してしまう。これに対するフェールセーフ機能としては、ゲートウェイ装置１１が各ユニット機器にリクエスト信号を送信した後、各ユニット機器における規定のタイミングで、直接ユニット機器間で無線信号の送受信を行うとともに、ゲートウェイ装置１１による無線信号のルーティングも行うことで、重複して、ユニット機器間で無線信号の送受信を行う。
【００３９】
このような車両用無線通信システムの動作を図６に示す。ゲートウェイ装置１１は、ステップＳＴ１にてリクエスト信号を送信した後に、ステップＳＴ２において、スイッチ系のユニット機器から無線信号が送信されてきたかを判定し、送信されてきた時には、ステップＳＴ３において、当該無線信号を受信する。その後、ゲートウェイ装置１１は、ステップＳＴ４において、スイッチ系のユニット機器から送信された無線通信を、本来の送信先である駆動系のユニット機器に転送する。
【００４０】
一方、駆動系のユニット機器は、ステップＳＴ２１においてスイッチ系のユニット機器からの無線信号が送信されてきていない場合には、ステップＳＴ２３に処理を進め、更に、スイッチ系のユニット機器からの無線信号が送信されてきたか否かを判定し、送信されてきた時には、ステップＳＴ２４において、スイッチ系のユニット機器からの無線信号を受信する。このステップＳＴ２３の処理を行うタイミングは、スイッチ系のユニット機器からの無線信号が送信されたタイムスロットの次にタイムスロットにて、ゲートウェイ装置１１で当該無線信号が転送され、その次のタイムスロットにて実行される。これによって、駆動系のユニット機器は、ステップＳＴ１３にて送信されたスイッチ系のユニット機器からの無線信号を受信できなくても、ステップＳＴ４にて送信されたゲートウェイ装置１１からの無線信号を受信することができる。
【００４１】
以上詳細に説明したように、本発明を適用した車両用無線通信システムによれば、所定期間ごとに、複数のユニット機器に無線信号の送信タイミングを制御するリクエスト信号を送信し、各ユニット機器により、リクエスト信号を受信した時刻から、予め設定された遅延時間となったタイミングで無線信号を送信するので、相互の無線信号の干渉を回避することができる。したがって、この車両用無線通信システムによれば、確実な無線通信を実現できる。
【００４２】
また、この車両用無線通信システムによれば、各ユニット機器において同じ周波数帯の無線信号を送出するとし、通信方式として簡単な時分割多重方式を用いているために、安価かつ低消費電力に構成することが可能になる。
【００４３】
更に、リクエスト信号の送信間隔内においては各ユニット機器が必ず１回は無線通信の送受信を行うので、各ユニット機器の動作レスポンスを低下させることがない。
【００４４】
更にまた、車両用無線通信システムによれば、各ユニット機器により、他のユニット機器宛てに直接的に無線信号を送信すると共に、ゲートウェイ装置１１により、当該他のユニット機器宛の無線信号を中継して、当該他のユニット機器に転送するので、モジュール内での電波干渉をなくしつつ、無線信号を重複して駆動系のユニット機器に送信して、無線通信に関したフェールセーフ機能を付加することが可能になる。
【００４５】
［第２実施形態］
つぎに、第２実施形態に係る車両用無線通信システムについて説明する。なお、上述の第１実施形態と同様の部分については同一符号を付することによりその詳細な説明を省略する。
【００４６】
第２実施形態に係る車両用無線通信システムは、図７に示すように、ユニット機器に、インターバル決定記憶部３５と、バッテリー状態検出部３６とを備えたことを特徴とするものである。これらインターバル決定記憶部３５及びバッテリー状態検出部３６は、タイマー部３４に接続されている。なお、ゲートウェイ装置１１の構成は、第１実施形態におけるゲートウェイ装置１１と同様である。
【００４７】
この車両用無線通信システムは、各ユニット機器が、車両用のバッテリー状態に基づいて、リクエスト信号に対して応答する無線信号の送信タイミング、無線信号の送信回数を制御するものである。
【００４８】
インターバル決定記憶部３５は、自らのユニット機器を動作させるための動作電力を供給するバッテリーの状態を検出する。なお、このバッテリーは、車両全体における電装機器に電力を供給するバッテリーであってもよく、各ユニット機器に取り付けられた個別のバッテリであっても良い。インターバル決定記憶部３５によって車両全体における電装機器に電力を供給するバッテリーの状態を検出する場合、当該バッテリーの状態を検出するユニット機器によって送出された無線信号を受信して、当該バッテリーの状態を検出することになる。
【００４９】
インターバル決定記憶部３５は、検出したバッテリーの状態として、バッテリー電圧、バッテリー残量、放充電回数、劣化レベル、これらの複合要素等を診断する。この診断は、バッテリの動作可能回数を判定するものであり、当該バッテリーの動作可能回数に関連するバッテリーのパラメータであれば、他のパラメータを診断しても良い。インターバル決定記憶部３５は、バッテリーの診断結果から、リクエスト信号の受信時からの遅延時間、リクエスト信号に対する無線信号の送信回数（インターバル）を決定して、タイマー部３４に供給する。これにより、タイマー部３４は、リクエスト信号に対する無線信号の送信処理を制御する。
【００５０】
このような車両用無線通信システムは、例えば図８に示すように、スイッチ系のユニット機器によって実現される。このスイッチ系のユニット機器は、ステップＳＴ１２によってゲートウェイ装置１１から送信されたリクエスト信号を受信した後、ステップＳＴ１４において、バッテリーを検出する。
【００５１】
次にユニット機器は、ステップＳＴ１５において、ステップＳＴ１４にて検出したバッテリーの状態から、無線信号の送信タイミングを決定する。
【００５２】
例えばバッテリー残量が少ないと判定した場合、上述したようにリクエスト信号に対して少なくとも１回の無線信号を送出すると、バッテリー残量の不足によって所定強度の無線信号を送出できない場合がある。また、上述のようにリクエスト信号に対して少なくとも１回の無線信号を送出するといったように、頻繁に無線信号の授受を行うことによって、バッテリーの残量が著しく低下することが考えられる。
【００５３】
また、車両状況によってはユニット機器を必ず動作させなければならない場合もある。例えば、パワーウィンドウモータユニット１３を制御する場合、通常の上下動作や自動上下動作に対して、挟み込み防止時の反転動作は必ず行う必要がある。このようなパワーウィンドウモータユニット１３の挟み込み防止時の反転動作のために、バッテリー残量を所定値以上に保持しておく必要がある。
【００５４】
このようなことから、ユニット機器は、バッテリー残量が少なくなってきた場合、各ユニット機器間での無線信号のやり取り回数を減らすように無線信号の送出タイミングを制御して、バッテリー残量が低下する度合いを低くする。
【００５５】
具体的な例としては、図９に示すように、リクエスト信号Ｒ２を受信した時にバッテリー残量を検出し、ユニット機器（１）に設けられたバッテリーの残量が低くなった場合、当該ユニット機器（１）のインターバル決定記憶部３５は、無線信号Ｓ１の送出をキャンセルし、次のリクエスト信号Ｒ３を受信した時には無線信号Ｓ１を送出するようなインターバルを設定する。また、図９に示す例では、他のユニット機器（２）〜（４）については、それぞれに設けられたバッテリーの残量が少なくなっていないので、無線信号（２）〜（４）を送出するタイミングを変更していない。
【００５６】
この図９に示す例において、ゲートウェイ装置１１によるリクエスト信号の送信間隔は１００ｍｓｅｃであり、各ユニット機器は、それぞれ２０ｍｓｅｃの間隔で無線信号を返信している。しかし、ユニット機器（１）におけるバッテリー残量が少なくなってきたために、リクエスト信号Ｒ２に対して、１回だけユニット機器（１）の無線信号を返信するように変更を行う。つまり、インターバル決定記憶部３５は、ユニット機器（１）が返信する場合（１回目、３回目、５回目、・・・、２ｎ＋１回目（ｎ＝１、２、・・・））の待機時間は６０［ｍｓｅｃ］のままではあるものの、２回目、・・・、２ｎ回目（ｎ＝１、２、・・・）には、待機時間を∞［ｍｓｅｃ］として設定する。さらにバッテリー残量が少なくなってきた場合には、インターバル決定記憶部３５は、例えば、３回のリクエストに対して、１回だけ、ユニット機器（１）の無線信号を返信するように変更を行う。これにより、バッテリー電力のさらなる消耗を避けて、ユニット機器（１）としての動作が必要なシーンでユニット機器（１）の動作ができるように、バッテリー残量を温存しておく。
【００５７】
逆に、ユニット機器は、図１０に示すように、１回のリクエスト信号に対して、２回以上に亘って無線信号を返信しても良い。無線信号の送信頻度を上げることができる場合としては、バッテリー残量が十分に存在し、車両用無線通信システムを構成するユニット機器の数が少ない場合が挙げられる。図１０に示す例では、図９に示した例と同様にリクエスト信号を１００［ｍｓｅｃ］の間隔で送信するが、ユニット機器の数が４つから３つに減っている。そのため、遅延時間が６０［ｍｓｅｃ］であるタイムスロットに空きができ、１回のリクエストに対して、遅延時間Ｔ（２）とＴ（２）’に設定して２０［ｍｓｅｃ］と６０［ｍｓｅｃ］の２度、ユニット機器（２）から無線信号Ｓ２を送出することができ、動作レスポンスの向上を図ることができる。
【００５８】
以上説明したように、第２実施形態に係る車両用無線通信システムによれば、各ユニット機器により、ゲートウェイ装置１１から送信された１回の要求信号に対して無線信号を送信する回数を変更するので、各ユニット機器の特徴に合わせた動作レスポンスで動作させることができ、動作レスポンスを早くすることが必要なユニット機器の無線信号を確実に送受信することができる。
【００５９】
また、この車両用無線通信システムによれば、自己が動作する電力を供給するバッテリーの状態に基づいて、ゲートウェイ装置１１から送信された１回の要求信号に対して無線信号を送信する回数を変更するので、バッテリーの状態に基づいて無線信号を送信する頻度を変更することができ、バッテリー残量が少ないユニット機器であっても確実に無線通信を行うことができる。具体的には、バッテリー残量が少なくなった場合には、リクエスト信号に対する遅延時間を長くする、又は、複数回のリクエスト信号に対して１回だけ無線信号を返信する。これにより、車両用無線通信システムによれば、ユニット機器が動作する必要がある場面のために、最低限のバッテリー残量を保持しておくことができる。逆に、車両用無線通信システムによれば、１回のリクエスト信号に対して、ユニット機器から複数の無線信号を送出することもでき、動作レスポンスを向上させることもできる。
【００６０】
［第３実施形態］
つぎに、第３実施形態に係る車両用無線通信システムについて説明する。なお、上述の実施形態と同様の部分については同一符号を付することによりその詳細な説明を省略する。
【００６１】
第３実施形態に係る車両用無線通信システムは、各ユニット機器が、自己が搭載された車両の挙動又は車両の状態、車両周辺の環境などに基づいて、ゲートウェイ装置１１から送信された１回の要求信号に対して無線信号を送信する回数、遅延時間を変更することを特徴とするものである。このユニット機器は、図１１に示すように、車両状態検出部３７と、走行環境検出部３８とを更に備えるものである。車両状態検出部３７によって検出された車両状態、走行環境検出部３８によって検出された走行環境は、インターバル決定記憶部３５に供給される。
【００６２】
インターバル決定記憶部３５は、車両状態、走行環境の変化に応じて、ユニット機器における無線信号の送信タイミングを変更するようにタイマー部３４を制御する。なお、インターバル決定記憶部３５は、車両状態、走行環境の何れか一方に基づいて無線信号の送信回数、送信タイミングを変更しても良く、車両状態及び走行環境の双方に基づいて無線信号の送信回数、送信タイミングを変更しても良い。
【００６３】
このような車両用無線通信システムは、図１２に示すように、ステップＳＴ１２によってゲートウェイ装置１１から送信されたリクエスト信号を受信した後、ステップＳＴ１６において、車両状態検出部３７による車両状態を検出する処理、及び／又は、走行環境検出部３８による走行環境を把握する処理を行う。そして、ユニット機器は、ステップＳＴ１７において、ステップＳＴ１６にて検出された車両状態及び／又は走行環境に基づいて、リクエスト信号に対する無線信号の送信回数、送信タイミングを決定する。これによって、車両用無線通信システムは、車両状態、走行環境の変化に応じて、現在の運転シーンにおける各ユニット機器の動作の必要性を判断して、その判断結果に応じて、各ユニット機器における無線信号の送信回数、送信タイミングを変更する。
【００６４】
例えば、ステップＳＴ１１〜ステップＳＴ１３の処理を行うユニット機器がスイッチ系のユニット機器である場合、当該ユニット機器は、現在の車両状態や走行状態を検出することによって、現在、どのような運転シーンを走行しており、車両がどのような状態になっているかを判断する。具体的には、車両状態検出部３７は、車両の走行速度や加速度、位置や、現在走行している道路の属性（一般道路、高速道路、有料道路）から、どのような場所（都心部、郊外、高速道路上）を走行しているかを検知する。走行環境検出部３８は、車両の後部方向を撮像するリアビューカメラや、リアバンパーと障害物との距離を推定するバックソナーを用いて、車両のリア方向に関する周囲情報を検知する。これにより、現在の運転シーンにおいて、ユニット機器の動作が必要であるか否かを判断して、各ユニット機器における無線信号の送信タイミングを決定する。
【００６５】
例えば、走行環境検出部３８によって車両の後部方向に障害物が検出された場合には、ドライバに対する警告音（リアバンパーと障害物との接触を防ぐための提示）を出すブザーの動作レスポンスを良くする必要がある。この場合、車両用無線通信システムにおいて、ブザーを動作機構３３として含むユニット機器は、図１３に示すように、リクエスト信号に対する無線信号の送信回数を多くした高速動作型のユニット機器となる。すなわち、各ユニット機器は、スイッチ、センサ、ブザー、モータ、アクチュエータといった自己のユニット機器としてのタイプに応じて必要な車両状態、車両環境の情報を取得する。したがって、ブザーとして動作するユニット機器は、障害物が存在する情報を取得したことに応じて、高速動作型のユニット機器となりリクエスト信号に対する無線通信の送信回数を多くする。
【００６６】
図１３に示す例においては、ユニット機器（２）がブザーであり、障害物が検出されていない時にリクエスト信号Ｒ１を受信しても無線信号の送信を行わないが、リクエスト信号Ｒ２を受信した時に障害物が検出されていたと判定した場合には、リクエスト信号Ｒ２の受信時後の２０ｍｓｅｃ時及び６０ｍｓｅｃ時に、２回に亘って無線信号の送信を行う。これによって、ユニット機器（２）は、スイッチ系のユニット機器（１）よりも高速動作して無線信号の送信を行い、障害物が検出されたことに対するブザーの応答を早くすることができる。逆に、ブザーとして動作するユニット機器は、障害物が見当たらないリクエスト信号Ｒ２の受信以前においては、ブザーの動作レスポンスを低下させるために、車両と障害物との距離を判断するユニット機器からブザーに対する無線信号の送信タイミングを低速化することができる。このように、車両用無線通信システムによれば、ユニット機器の動作に関連して、無線信号の送信回数を調整することができる。
【００６７】
また、この車両用無線通信システムは、現在車両が走行している道路属性が高速道路であり、車速が１００［ｋｍ／ｈ］であることが車両状態検出部３７によって検出された場合には、インターバル決定記憶部３５は、高速道路上を法定速度で走行していると判断する。このような運転シーンには、窓の開閉動作が行われることが少ないため、パワーウインドウ機能における動作レスポンスを低下させるために、図１４に示すように、２回のリクエスト信号を受信したことに対して、この動作に関連するユニット機器の無線信号の送信タイミングを１回に設定する。具体的には、ユニット機器（１）がパワーウィンドウモータユニット１３である場合であって、車両が高速道路を走行していると判断した場合には、リクエスト信号Ｒ２，Ｒ３の２回に亘って受信した時に、無線信号Ｓ１を送信する。
【００６８】
以上説明したように、第３実施形態に係る車両用無線通信システムによれば、車両状態や走行環境の変化に応じて、ゲートウェイ装置１１から送信された１回の要求信号に対して無線信号を送信する回数を変更することができるので、ユニット機器の必要とされる動作頻度を変更することによって、運転シーンに応じて各ユニット機器に必要な動作レスポンスを確保することができる。したがって、ドライバーにとって動作が必要なユニット機器を、確実且つ高速に動作させることが可能になる。また、動作が不必要なユニット機器の無線信号の送信回数を削減することによって、消費電力を抑制することができる。
【００６９】
また、この第３実施形態に係る車両用無線通信システムによれば、車両状態や車両環境に基づいて、動作が不必要なユニット機器の無線信号の送信回数を少なくし、当該少なくした分だけ空いたタイムスロットを、動作が必要なユニット機器の無線信号の送信に当てても良いのは勿論である。
【００７０】
［第４実施形態］
つぎに、第４実施形態に係る車両用無線通信システムについて説明する。なお、上述の実施形態と同様の部分については同一符号を付することによりその詳細な説明を省略する。
【００７１】
第４実施形態に係る車両用無線通信システムは、各ユニット機器により、自己が搭載された車両における乗員の着座位置に基づいて、ゲートウェイ装置１１から送信された１回のリクエスト信号に対して無線信号を送信する回数、送信タイミングを変更することを特徴とするものである。この車両用無線通信システムにおけるユニット機器は、図１５に示すように、車両における乗員の着座位置を検出する着座検出部３９を備える。この着座検出部３９は、車両の全ての乗員シートには着座センサが設置されており、人が着座することで、どのシートに人が座っているのかを検出する。また、着座検出部３９は、各ユニット機器に近い位置の車両シートに設けられた圧力センサのみであっても良い。例えば図１に示すように、助手席側のドア機構１に設けられたユニット機器は、当該助手席シートに設けられた圧力センサからの検出出力を着座検出部３９によって入力する。この着座検出部３９によって検出された乗員の着座位置を示す情報は、インターバル決定記憶部３５によって読み取られる。
【００７２】
このような車両用無線通信システムにおけるスイッチ系のユニット機器は、図１６に示すように、ステップＳＴ１２において、ゲートウェイ装置１１からのリクエスト信号を受信した後に、ステップＳＴ１８において、着座検出部３９によって乗員が着座しているか否かを判定する。次に、スイッチ系のユニット機器は、ステップＳＴ１９において、インターバル決定記憶部３５によって、当該検出した着座位置から、無線信号の送信タイミングを決定する。
【００７３】
具体的には、ステップＳＴ１８において、車両内においてどのシートに着座しているかを着座検出部３９によって検出し、この結果から、インターバル決定記憶部３５は、着座している人がどのドア機構１（ドアモジュール）に存在するユニット機器（特にスイッチ）に触れる可能性があるのかを推定して、無線信号の送信回数、送信タイミングを決定する。例えば、運転席に乗員が座っている場合、この乗員は運転席のドアモジュールに存在する「パワーウィンドウスイッチユニット１４」と「ドアロックのためのリクエストスイッチユニット１５」等に触れる可能性が高い。このため、これらのユニット機器についての無線信号の送信回数、送信タイミングを高速化するように調整を行う。一方、乗員が着座していないシート付近のユニット機器に関しては、無線信号の送信回数、送信タイミングを低速化するように調整する。これによって、乗員が着座している付近のユニット機器については動作レスポンスを向上させる一方で、乗員が着座していない付近のユニット機器については消費電力を低減する。
【００７４】
以上説明したように、第４実施形態に係る車両用無線通信システムによれば、乗員の着座位置に基づいて、前記ゲートウェイ装置から送信された１回のリクエスト信号に対して無線信号を送信する回数を変更するので、乗員に必要なユニット機器については無線信号の送信回数、送信タイミングを高速化して確実に無線信号を送信することができる。一方、乗員に不必要なユニット機器については無線信号を送信するための電力消費を抑制すると共に、通信トラフィックの低減を図ることができる。
【００７５】
［第５実施形態］
つぎに、第５実施形態に係る車両用無線通信システムについて説明する。なお、上述の実施形態と同様の部分については同一符号を付することによりその詳細な説明を省略する。
【００７６】
第５実施形態に係る車両用無線通信システムは、ゲートウェイ装置１１によってリクエスト信号に無線信号の送信回数を変更する制御信号を含めて、ユニット機器によってゲートウェイ装置１１から送信されたリクエスト信号に含まれる制御信号に基づいて、当該リクエスト信号を受信した後の無線信号の送信回数を変更することを特徴とするものである。また、第５実施形態に係る車両用無線通信システムは、各ユニット機器により、無線信号を送信した履歴に基づいて、ゲートウェイ装置１１から送信された１回のリクエスト信号に対して無線信号を送信する回数を変更することを特徴とするものである。
【００７７】
具体的には、ゲートウェイ装置１１は、図１７に示すように、リクエスト信号送信部２２に、リクエスト信号を送信する間隔を制御するインターバル指定部２３を備える。このゲートウェイ装置１１は、インターバル指定部２３によって、各ユニット機器が無線信号を送出する回数、送信タイミングを制御する制御信号を生成して、リクエスト信号送信部２２からリクエスト信号を送信させる。これによって、ゲートウェイ装置１１は、各ユニット機器におけるリクエスト信号に対する無線信号の送信回数、送信タイミングを変更させる。
【００７８】
ユニット機器は、ゲートウェイ装置１１から送信された送信回数、送信タイミングを制御する制御信号を含むリクエスト信号を受信した場合に、インターバル決定記憶部３５によって当該送信回数、送信タイミングを記憶する。そして、変更後においてリクエスト信号を受信した場合に、当該変更された送信回数、送信タイミングで無線信号を送信するように動作する。
【００７９】
ユニット機器は、図１８に示すように、インターバル決定記憶部３５に、無線信号の送信回数、送信タイミングの変更履歴を蓄積する変更履歴照会部４１を備えている。変更履歴照会部４１は、インターバル決定記憶部３５によって無線信号の送信回数、送信タイミングが変更されるたびに、当該無線信号の送信回数、送信タイミングを蓄積する。インターバル決定記憶部３５は、無線信号の送信回数、送信タイミングを変更するに際して、変更履歴照会部４１に蓄積された変更履歴を参照する。
【００８０】
つぎに、各ユニット機器における無線信号の送信回数、送信タイミングの変更履歴に基づいて、送信回数、送信タイミングの変更制御を行ったり、ゲートウェイ装置１１側でリクエスト信号の間隔を変更するとともに各ユニット機器における無線信号の送信回数、送信タイミングの変更を行う手順を図１９のフローチャートを参照して説明する。
【００８１】
車両用無線通信システムは、図１９に示すように、先ずステップＳＴ５において、インターバル指定部２３によって、リクエスト信号の送信タイミングを決定する。このとき、ゲートウェイ装置１１のインターバル指定部２３は、上述したようなバッテリー状態、障害物検出の有無等に基づくユニット機器が動作する必要度、着座位置などのユニット機器を制御するトリガ情報に基づいて、各ユニット機器の無線信号の送信回数、送信タイミングを決定する。インターバル指定部２３は、各ユニット機器からバッテリーの状態、障害物検出の有無、着座位置等の無線信号の送信回数、送信タイミングの決定するパラメータを各ユニット機器から受信することとなる。
【００８２】
インターバル指定部２３は、ステップＳＴ６において、ステップＳＴ５にて決定したユニット機器の無線信号の送信回数、送信タイミングに基づいて現状の無線信号の送信回数、送信タイミングを変更するユニット機器を判定して、無線信号の送信回数、送信タイミングを制御する制御信号を含むリクエスト信号を生成する。そして、ゲートウェイ装置１１は、ステップＳＴ６にて生成したリクエスト信号を、ステップＳＴ１にて送信する。
【００８３】
ユニット機器は、制御信号を含むリクエスト信号をステップＳＴ１１及びステップＳＴ１２の処理によって受信した場合、ステップＳＴ２０において、制御信号に含まれる無線信号の送信回数、送信タイミングを変更履歴照会部４１に記憶させる。また、ユニット機器は、変更履歴照会部４１に記憶された無線信号の送信回数、送信タイミングの変更履歴を参照して、無線信号の送信回数、送信タイミングの変更を行う。そして、ユニット機器は、ステップＳＴ２０にて変更した無線信号の送信回数、送信タイミングに従って、ステップＳＴ１３にて無線信号を送信する。
【００８４】
このような車両用無線通信システムによれば、ゲートウェイ装置１１によって、リクエスト信号の送信タイミングを調整すると共に、当該リクエスト信号に対する無線信号の送信回数、送信タイミングを制御することができる。これにより、ゲートウェイ装置１１が統括しているモジュール内における各ユニット機器間の無線信号の送信回数、送信タイミングを一括して変更することが可能となる。
【００８５】
具体例としては、図２０に示すように、ゲートウェイ装置１１は、ユニット機器における無線信号の送信回数、送信タイミングを変更するための情報である上記のトリガ情報に基づいて、各ユニット機器を通常の間隔で動作させる場合にはリクエスト信号の送信間隔（リクエスト間隔）Ｔ１を２００ｍｓｅｃとし、各ユニット機器を高速で動作させる場合にはリクエスト信号の送信間隔を１００ｍｓｅｃと短い間隔Ｔ２とすることができる。逆に、各ユニット機器を低速で動作させれば良い場合には、リクエスト信号の送信間隔を低速化用の３００［ｍｓｅｃ］とすることもできる。これにより、各ユニット機器における無線信号の送信タイミングは、例えば、高速化時には１００［ｍｓｅｃ］＋遅延時間とし、標準時には２００［ｍｓｅｃ］＋遅延時間とし、低速化時には３００［ｍｓｅｃ］＋遅延時間とすることができる。
【００８６】
また、リクエスト信号に制御信号を含めることにより、ゲートウェイ装置１１側から、各ユニット機器における無線信号の送信タイミングを変更させることができる。これにより、各ユニット機器がトリガ情報を得ていなくても、ゲートウェイ装置１１がトリガ情報を得ていれば、ユニット機器における無線信号の送信タイミングを変更することができる。
【００８７】
更に、無線信号の送信回数、送信タイミングを変更履歴から変更する場合、例えばスイッチ系のユニット機器は、先ず、１回〜数回に渡って、無線信号の送信回数、送信タイミングの変更を行った後、これまでの無線信号の送信回数、送信タイミングの変更履歴を参考にして、送信タイミングの変更を行う。このため、ゲートウェイ装置１１によって指定された無線信号の送信回数、送信タイミングが前回と同じである場合には、リクエスト信号を受信するたびに、各ユニット機器における無線信号の送信回数、送信タイミングの変更を行う必要がない。これにより、ユニット機器によって送信回数、送信タイミングを変更する処理を簡素化することができる。
【００８８】
以上説明したように、第５実施形態に係る車両用無線通信システムによれば、各ユニット機器によって、無線信号を送信した履歴に基づいて、ゲートウェイ装置１１から送信された１回のリクエスト信号に対して無線信号を送信する回数を変更するので、履歴として記憶しておいた無線信号の送信回数、送信タイミングに基づいて最適な遅延時間を設定することができる。
【００８９】
また、この車両用無線通信システムによれば、ゲートウェイ装置１１によってリクエスト信号に無線信号の送信回数を変更する制御信号を含め、ユニット機器によって、ゲートウェイ装置１１から送信されたリクエスト信号に含まれる制御信号に基づいて、当該要求信号を受信した後の無線信号の送信回数を変更するので、動的に無線信号の送信回数、送信タイミングを変更することができ、システム全体のトラフィックを調整できる。
【００９０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００９１】
【図１】本発明を適用した車両用無線通信システムの構成を示すブロック図である。
【図２】本発明を適用した第１実施形態に係る車両用無線通信システムにおけるゲートウェイ装置の構成を示すブロック図である。
【図３】本発明を適用した第１実施形態に係る車両用無線通信システムにおけるユニット機器の構成を示すブロック図である。
【図４】本発明を適用した第１実施形態に係る車両用無線通信システムの動作を説明するフローチャートである。
【図５】本発明を適用した第１実施形態に係る車両用無線通信システムの動作を説明するタイミングチャートである。
【図６】本発明を適用した第１実施形態に係る車両用無線通信システムの他の動作を説明するフローチャートである。
【図７】本発明を適用した第２実施形態に係る車両用無線通信システムにおけるユニット機器の構成を示すブロック図である。
【図８】本発明を適用した第２実施形態に係る車両用無線通信システムの動作を説明するフローチャートである。
【図９】本発明を適用した第２実施形態に係る車両用無線通信システムの動作を説明するタイミングチャートである。
【図１０】本発明を適用した第２実施形態に係る車両用無線通信システムの他の動作を説明するタイミングチャートである。
【図１１】本発明を適用した第３実施形態に係る車両用無線通信システムにおけるユニット機器の構成を示すブロック図である。
【図１２】本発明を適用した第３実施形態に係る車両用無線通信システムの動作を説明するフローチャートである。
【図１３】本発明を適用した第３実施形態に係る車両用無線通信システムの動作を説明するタイミングチャートである。
【図１４】本発明を適用した第３実施形態に係る車両用無線通信システムの他の動作を説明するタイミングチャートである。
【図１５】本発明を適用した第４実施形態に係る車両用無線通信システムにおけるユニット機器の構成を示すブロック図である。
【図１６】本発明を適用した第４実施形態に係る車両用無線通信システムの動作を説明するフローチャートである。
【図１７】本発明を適用した第５実施形態に係る車両用無線通信システムにおけるゲートウェイ装置の構成を示すブロック図である。
【図１８】本発明を適用した第５実施形態に係る車両用無線通信システムにおけるユニット機器の構成を示すブロック図である。
【図１９】本発明を適用した第５実施形態に係る車両用無線通信システムの動作を説明するフローチャートである。
【図２０】本発明を適用した第５実施形態に係る車両用無線通信システムの動作を説明するタイミングチャートである。
【符号の説明】
【００９２】
１  ドア機構
１１  ゲートウェイ装置
１２  ドアミラーモータユニット
１３  パワーウィンドウモータユニット
１４  パワーウィンドウスイッチユニット
１５  リクエストスイッチユニット
１６  ドアロックアクチュエータユニット
２１  ＲＦ処理部
２１ａ  アンテナ
２２  リクエスト信号送信部
２３  インターバル指定部
３１  ＲＦ処理部
３１ａ  アンテナ
３２  リクエスト信号応答部
３３  動作機構
３４  タイマー部
３５  インターバル決定記憶部
３６  バッテリー状態検出部
３７  車両状態検出部
３８  走行環境検出部
３９  着座検出部
４１  変更履歴照会部
【図１】
2009029299.tif 000003
【図２】
2009029299.tif 000004
【図３】
2009029299.tif 000005
【図４】
2009029299.tif 000006
【図５】
2009029299.tif 000007
【図６】
2009029299.tif 000008
【図７】
2009029299.tif 000009
【図８】
2009029299.tif 000010
【図９】
2009029299.tif 000011
【図１０】
2009029299.tif 000012
【図１１】
2009029299.tif 000013
【図１２】
2009029299.tif 000014
【図１３】
2009029299.tif 000015
【図１４】
2009029299.tif 000016
【図１５】
2009029299.tif 000017
【図１６】
2009029299.tif 000018
【図１７】
2009029299.tif 000019
【図１８】
2009029299.tif 000020
【図１９】
2009029299.tif 000021
【図２０】
2009029299.tif 000022